(57)【要約】【課題】保留ジョブ機能およびセキュリティモードを備える画像形成装置において、保留ジョブが残っていることを気づかないままでセキュリティモードが解除されるのを回避する。【解決手段】画像データを保留ジョブとする保留するジョブ保留手段と、画像形成装置の動作に対しセキュリティを強化するセキュリティモードを設定する設定手段と、保留ジョブの有無の判定を行う判定手段とを備え、前記設定手段によってセキュリティモードを変更する際に、前記判定手段によって保留ジョブが有ると判定される場合、警告等を行う画像形成装置。保留ジョブがある場合に、セキュリティモードを低レベルや非セキュリティモードに移行する変更の設定操作がなされた際に、保留ジョブの存在を操作者が認識しないで保留ジョブが存在したままでセキュリティモードを変更することがなくなる。【選択図】図４
2008294572.tif 000002
【特許請求の範囲】
【請求項１】
画像データに基づいて画像形成を行い、前記画像データに係るジョブの予約が可能な画像形成装置において、画像形成装置の動作に対してセキュリティを強化するセキュリティモードを設定する入力手段と、前記ジョブを保留ジョブとして保留する制御および前記保留ジョブの有無を判定する制御手段を有し、前記制御手段は、前記入力手段によりセキュリティモードを変更する設定がなされ、且つ、前記保留ジョブが有ると判定した場合は、警告をする制御を行うことを特徴とする画像形成装置。
【請求項２】
画像データに基づいて画像形成を行い、前記画像データに係るジョブの予約が可能な画像形成装置において、画像形成装置の動作に対してセキュリティを強化するセキュリティモードを設定する入力手段と、前記ジョブを保留ジョブとして保留する制御および前記保留ジョブの有無を判定する制御手段を有し、前記制御手段は、前記入力手段によりセキュリティモードを変更する設定がなされ、且つ、前記保留ジョブが有ると判定した場合は、前記セキュリティモードの変更を禁止する制御を行うことを特徴とする画像形成装置。
【請求項３】
前記制御手段は、予約ジョブに係る前記画像データを消去することを特徴とする請求項１または２に記載の画像形成装置。
【請求項４】
前記制御手段は、セキュリティモード時に画像形成を完了した画像データを上書きして消去することを特徴とする請求項３記載の画像形成装置。
【請求項５】
前記入力手段は、前記予約ジョブを保留ジョブに移行させる設定入力が可能であることを特徴とする請求項１〜３のいずれかに記載の画像形成装置。
【請求項６】
画像データに基づいて画像形成を行い、前記画像データに係るジョブの予約が可能な画像形成装置において、画像形成装置の動作に対してセキュリティを強化するセキュリティモードを設定する入力手段と、前記ジョブを保留ジョブとして保留する制御および前記保留ジョブの有無を判定する制御手段を有し、前記制御手段は、前記入力手段によりセキュリティモードを変更する設定がなされ、且つ、前記保留ジョブが有ると判定した場合は、前記保留ジョブの消去の選択入力を前記入力手段に表示する制御を行うことを特徴とする画像形成装置。
【請求項７】
画像データに基づいて画像形成を行い、前記画像データに係るジョブの予約が可能な画像形成装置において、画像形成装置の動作に対してセキュリティを強化するセキュリティモードを設定する入力手段と、前記ジョブを保留ジョブとして保留する制御および前記保留ジョブの有無を判定する制御手段を有し、前記制御手段は、前記入力手段によりセキュリティモードを変更する設定がなされ、且つ、前記保留ジョブが有ると判定した場合は、前記保留ジョブを消去する制御を行うことを特徴とする画像形成装置。
【請求項８】
画像データに基づいて画像形成を行い、前記画像データに係るジョブの予約が可能な画像形成装置において、画像形成装置の動作に対してセキュリティを強化するセキュリティモードを設定する入力手段と、前記ジョブを保留ジョブとして保留する制御および前記保留ジョブの有無を判定する制御手段を有し、前記制御手段は、前記入力手段によりセキュリティモードを変更する設定がなされ、且つ、前記保留ジョブが有ると判定した場合、更に、前記入力手段により強制変更の設定がなされるとセキュリティモードを変更する制御を行うことを特徴とする画像形成装置。
【発明の詳細な説明】
【技術分野】
【０００１】
この発明は、画像データに基づいて画像形成を行うとともに、該画像データに係るジョブの予約および保留が可能で、さらにセキュリティを強化するセキュリティモードを備える画像形成装置に関するものである。
【背景技術】
【０００２】
複写機、ファクシミリ、複合機などの画像形成装置では、画像読取装置により生成した画像データや、ネットなどを介して取得した画像データによって転写紙に画像形成を行う。該画像形成装置においては、予め、複数のジョブの予約設定を行うことが可能で、予約したジョブを順次実行する機能を有するものが知られている。また、この予約されたジョブの中には、処理の緊急度が低いものや、ジョブの実行に必要な転写紙が装置に備えられていないため直ぐに実行できないものがある場合があり、このようなジョブを一時的に保留ジョブとして保留しておく機能を有する画像形成装置も知られている。
【０００３】
さらに、画像形成装置では、装置動作におけるセキュリティを強化するセキュリティモードの設定を可能としたものが提案されるようになっており、機密保持が必要なジョブへの部外者のアクセスを禁止したり、ジョブを印刷した後に画像データを上書き消去したりする処理が可能になっている（例えば特許文献１参照）。セキュリティモードの変更は、必要に応じて行うことができる。セキュリティモードの変更設定では、図９に示すようにセキュリティ強化の変更を実行するか否かの問い合わせを管理者などに対し行い（ステップＰ１）、セキュリティ強化設定の変更を実行するという管理者などからの回答がない場合（ステップＰ１、ＮＯ）、変更処理を終了し、セキュリティ強化設定の変更を実行するという管理者などの回答があると（ステップＰ１、ＹＥＳ）、強化設定の変更を実行する（ステップＰ２）。
【特許文献１】特開２００６−２７９９６７号公報
【発明の開示】
【発明が解決しようとする課題】
【０００４】
しかし、上記のようにセキュリティを強化した画像形成装置において、保留ジョブ機能を有する場合、機密保持が必要なジョブを保留したままで保留解除することを忘れて非セキュリティモードに変更の設定を実行してしまうと、機密性の高いジョブが消去されることなくそのまま画像形成装置に残ってしまい、第三者の利用、閲覧などが可能になって機密保持が損なわれてしまうおそれがある。
【０００５】
本発明は、上記事情を背景としてなされたものであり、機密性の高いジョブが保留ジョブとして残っていることを認識することなく非セキュリティモードに移行することを防止して機密性の高い文書などの保護を図ることを可能にする画像形成装置を提供することを目的とする。
【課題を解決するための手段】
【０００６】
すなわち、本発明の第１の画像形成装置は、画像データに基づいて画像形成を行い、前記画像データに係るジョブの予約が可能な画像形成装置において、画像形成装置の動作に対してセキュリティを強化するセキュリティモードを設定する入力手段と、前記ジョブを保留ジョブとして保留する制御および前記保留ジョブの有無を判定する制御手段を有し、前記制御手段は、前記入力手段によりセキュリティモードを変更する設定がなされ、且つ、前記保留ジョブが有ると判定した場合は、警告をする制御を行うことを特徴とする。
【０００７】
第１の本発明によれば、保留ジョブが有る場合に、セキュリティモードの変更を行おうとすると、警告を行うことで操作者が保留ジョブが有ることを認識することなくセキュリティレベルを低くしたり、非セキュリティレベルに移行してしまうのを回避することができる。警告は、表示部に、保留ジョブが有ることを通知する方法などにより行うことができる。操作者は、該警告を受けることで保留ジョブを有していることを認識でき、機密保持の必要があるジョブが保留ジョブである場合には、機密保持を図るための必要な処置をとることができる。
【０００８】
第２の画像形成装置の本発明は、画像データに基づいて画像形成を行い、前記画像データに係るジョブの予約が可能な画像形成装置において、画像形成装置の動作に対してセキュリティを強化するセキュリティモードを設定する入力手段と、前記ジョブを保留ジョブとして保留する制御および前記保留ジョブの有無を判定する制御手段を有し、前記制御手段は、前記入力手段によりセキュリティモードを変更する設定がなされ、且つ、前記保留ジョブが有ると判定した場合は、前記セキュリティモードの変更を禁止する制御を行うことを特徴とする。
【０００９】
第２の本発明によれば、保留ジョブが有る場合に、セキュリティモードの変更を禁止することで、確実に機密保持を図ることができる。この際に、前記した警告を合わせて行うようにしてもよい。
【００１０】
第３の画像形成装置の本発明は、第１または第２の本発明において、前記制御手段は、予約ジョブに係る前記画像データを消去することを特徴とする。
【００１１】
第４の画像形成装置の本発明は、第３の本発明において、前記制御手段は、セキュリティモード時に画像形成を完了した画像データを上書きして消去することを特徴とする。
【００１２】
第５の画像形成装置の本発明は、第１〜第３のいずれかの本発明において、前記入力手段は、前記予約ジョブを保留ジョブに移行させる設定入力が可能であることを特徴とする。
【００１３】
第６の画像形成装置の本発明は、画像データに基づいて画像形成を行い、前記画像データに係るジョブの予約が可能な画像形成装置において、画像形成装置の動作に対してセキュリティを強化するセキュリティモードを設定する入力手段と、前記ジョブを保留ジョブとして保留する制御および前記保留ジョブの有無を判定する制御手段を有し、前記制御手段は、前記入力手段によりセキュリティモードを変更する設定がなされ、且つ、前記保留ジョブが有ると判定した場合は、前記保留ジョブの消去の選択入力を前記入力手段に表示する制御を行うことを特徴とする。
【００１４】
第６の本発明によれば、保留ジョブが有る場合に、セキュリティモードの変更を行おうとすると、操作者に保留ジョブを消去することを促して機密保持を図ることを可能にする。
この際に、前記のようにセキュリティモードの変更を禁止するようにしても良い。さらに、保留ジョブが消去されるとセキュリティモードの変更を許可する制御を行うようにしてもよい。
【００１５】
第７の画像形成装置の本発明は、画像データに基づいて画像形成を行い、前記画像データに係るジョブの予約が可能な画像形成装置において、画像形成装置の動作に対してセキュリティを強化するセキュリティモードを設定する入力手段と、前記ジョブを保留ジョブとして保留する制御および前記保留ジョブの有無を判定する制御手段を有し、前記制御手段は、前記入力手段によりセキュリティモードを変更する設定がなされ、且つ、前記保留ジョブが有ると判定した場合は、前記保留ジョブを消去する制御を行うことを特徴とする。
【００１６】
第７の発明によれば、保留ジョブが有る場合に、セキュリティモードの変更を行おうとすると、保留ジョブを強制的に消去することで機密保持を確実に図ることを可能にする。この際には、保留ジョブを消去したことを操作者に通知するのが望ましい。また、強制的な消去の前に、消去の可否を操作者に問い合わせ、消去可の回答がある場合に上記消去を行うようにしてもよい。保留ジョブの消去後には、セキュリティモードの変更を許可する制御を行うことができる。
【００１７】
第８の画像形成装置の発明は、画像データに基づいて画像形成を行い、前記画像データに係るジョブの予約が可能な画像形成装置において、画像形成装置の動作に対してセキュリティを強化するセキュリティモードを設定する入力手段と、前記ジョブを保留ジョブとして保留する制御および前記保留ジョブの有無を判定する制御手段を有し、前記制御手段は、前記入力手段によりセキュリティモードを変更する設定がなされ、且つ、前記保留ジョブが有ると判定した場合、更に、前記入力手段により強制変更の設定がなされるとセキュリティモードを変更する制御を行うことを特徴とする。
【００１８】
第８の発明によれば、保留ジョブが有る場合に、セキュリティモードの変更を行おうとすると、操作者がさらに追加の設定を行うことでセキュリティモードを変更することが可能になる。これは操作者が保留ジョブが機密保持の必要でないことを確認してさらにセキュリティモードの変更を求めた場合には、セキュリティモードの変更を許可しても支障がないためである。この際には、操作者が追加の設定を行う前に、前記した警告を行うことで保留ジョブが有ることを操作者が認識しやすいようにしてもよい。
【発明の効果】
【００１９】
以上、説明したように本発明の画像形成装置によれば、保留ジョブがある場合に、セキュリティモードを低レベルや非セキュリティモードに移行する変更の設定がなされた際に、保留ジョブの存在を操作者が認識しないで保留ジョブが存在したままでセキュリティモードを変更することが無くなる効果がある。また、上記のように機密性の保持が容易になるので、セキュリティモード時においても保留ジョブを許可することでユーザの利便性を確保しながら、機密保持をすることが可能になる効果がある。
【発明を実施するための最良の形態】
【００２０】
以下に、本発明の一実施形態を説明する。
図１は、本発明の一実施形態の画像形成装置のブロック図を示すものである。
すなわち画像形成装置１は、主要な構成として制御部１１０とスキャナ１３０と操作部１４０とプリンタ部１５０とを有するデジタルコピア部１００と、ＬＡＮ５０を通して外部装置（例えば端末６０）との間で入出力される画像データを処理する画像処理手段（プリント＆スキャナコントローラ）１６０とを備えている。
【００２１】
制御部１１０はＰＣＩバス１０２を有しており、ＰＣＩバス１０２は制御部１１０内でＤＲＡＭ制御ＩＣ１１１に接続されている。また、制御部１１０には、画像制御ＣＰＵ１１３を備えており、該画像制御ＣＰＵ１１３に前記ＤＲＡＭ制御ＩＣ１１１が接続されている。また、画像制御ＣＰＵ１１３には、不揮発メモリ１１５が接続されている。該不揮発メモリ１１５には、上記画像制御ＣＰＵ１１３を動作させるためのプログラムや画像形成装置１の設定データ、プロセス制御パラメータ等のデータが格納されている。画像制御ＣＰＵ１１３は、画像形成装置１の全体を制御するものであり、予約ジョブの管理や保留ジョブの管理、セキュリティモードを実行するなどの制御手段として機能する。
【００２２】
なお、セキュリティモードとは、機械のセキュリティー強度を向上させるために搭載された、セキュリティー機能を制御するためのものであり、ユーザーのセキュリティー機能の必要に応じて、管理者にて設定が可能となる。具体的には以下のようなものがある。ただし、これらは例示であり、これらに限定をされるものではない。
・監査ログ（例．管理者パスワードを入力したときにパスワードが一致したかどうか）を取る
・管理者パスワード不一致時は一定時間キー入力を受け付けない
・ネットワークからのアクセスが制限される（例．ネットワークからのＳＭＰＴポート番号変更不可、ファームウェア（制御ＲＯＭ）のバージョンアップ制限）
・ＪＯＢ印刷後に画像記憶手段（メモリ上）にある画像データを上書き消去する
またセキュリティ強化モード時に管理者のみが出来ることとして、以下のようなものがある。
・スキャン時にＨＤＤに記憶したデータを削除するかどうかの設定
・ＨＤＤのデータを外部に持ち出させないようにロック（電子的）するパスワードの設定
【００２３】
セキュリティモードでの変更では、セキュリティモードと非セキュリティモードの切り替えを行うものでもよく、また、セキュリティモードにおけるセキュリティレベルを多段階にしておき、このセキュリティレベルを変更するものであってもよい。
【００２４】
また、前記スキャナ部１３０は、光学読み取りを行うＣＣＤ１３１と、スキャナ部１３０全体の制御を行うスキャナ制御部１３２とを備えている。スキャナ制御部１３２は、前記画像制御ＣＰＵ１１３とシリアル通信可能に接続されており、画像制御ＣＰＵ１１３による制御を受けるとともに、前記ＣＣＤ１３１で読み取った画像データは、読取り処理部１１６でデータ処理がなされる。読取り処理部１１６は、前記したＤＲＡＭ制御ＩＣ１１１に接続されている。
【００２５】
前記操作部１４０は、タッチパネル式のＬＣＤ１４１と、操作部制御部１４２とを備えており、上記ＬＣＤ１４１と操作部制御部１４２とが接続され、該操作部制御部１４６と前記画像制御ＣＰＵ１１３とが接続されている。該構成によって操作部１４０の制御が画像制御ＣＰＵ１１３によって行われる。操作部１４０では、画像形成装置における設定や動作指令などの動作制御条件の入力が可能となっており、さらに設定内容、機械状態、警告の表示等が可能になっており、上記画像制御ＣＰＵ１１３により制御される。画像制御ＣＰＵ１１３と操作部１４０とは、協働して本願発明の設定などを行う入力手段として機能する。
【００２６】
また、ＤＲＡＭ制御ＩＣ１１１は、圧縮メモリ１２１とページメモリ１２２とからなる画像メモリ１２０に接続されている。該画像メモリ１２０には、前記スキャナ部１３０で取得した画像データやＬＡＮ５０を通して取得した画像データが格納される。上記のように画像メモリ１２０は、画像データの記憶領域であり、印刷するジョブの画像データを格納する画像記憶手段として機能する。
また、上記ＤＲＡＭ制御ＩＣ１１１によって複数のジョブに関する画像データを画像メモリ１２０に記憶させるようにすることができる。すなわち、画像メモリ１２０には予約されたジョブの画像データの格納も可能である。また、ＤＲＡＭ制御ＩＣ１１１は、画像メモリ１２０に格納された画像データに関するジョブを保留ジョブとして記憶させることができる。保留ジョブの有無は、ＤＲＡＭ制御ＩＣ１１１を通して画像制御ＣＰＵ１１３によって認識することができ、したがって画像制御ＣＰＵ１１３は、保留ジョブの有無を判定する機能を有する。
【００２７】
なお、保留ジョブ機能とは、例えば、至急印刷したいジョブが急遽発生した場合に、予約したジョブにおいて一時的に保留して急ぎのジョブを先に印刷するなどして、その後に保留を解除して印刷する方法である。これは選択したジョブを保留する機能で、予約ジョブに対して機能するものである。
【００２８】
さらにＤＲＡＭ制御ＩＣ１１１には、圧縮された画像データを伸張し、または画像データを圧縮する圧縮／伸張ＩＣ１１７が接続されており、該圧縮／伸張ＩＣには書込み処理部１１８が接続されている。該書込み処理部１１８は、プリンタ部１５０のＬＤ（レーザダイオード）１５１に接続され、該ＬＤ１５１の動作に用いられるデータの処理を行う。また、プリンタ部１５０は、プリンタ部１５０の全体を制御するプリンタ制御部１５２を備えており、プリンタ制御部１５２は、前記した画像制御ＣＰＵ１１３に接続されて制御を受ける。
【００２９】
また、前記ＤＲＡＭ制御ＩＣ１１１に接続された前記ＰＣＩバス１０２には、前記した画像処理制御部１６０のＤＲＡＭ制御ＩＣ１６１が接続されている。画像処理手段１６０では、ＤＲＡＭ制御ＩＣ１６１に画像メモリ１６２が接続されている。また、画像処理手段１６０では、前記ＤＲＡＭ制御ＩＣ１６１にコントローラー制御ＣＰＵ１６３、ＬＡＮ制御部１６４が接続されており、ＬＡＮ制御部１６４にＬＡＮインターフェース１６５が接続されている。ＬＡＮインターフェース１６５は、前記ＬＡＮ５０に接続されている。
【００３０】
次に、上記画像形成装置１の基本的動作について説明する。
先ず、画像形成装置１において画像データを蓄積する手順について説明する。
第１に画像形成装置１において、スキャナ部１３０で原稿の画像を読み取り画像データを生成する場合、スキャナ部１３０において原稿からＣＣＤ１３１により原稿の画像を光学的に読み取る。この際には、画像制御ＣＰＵ１１３から指令を受けるスキャナ制御部１３２によってＣＣＤ１３１の動作制御を行う。
【００３１】
ＣＣＤ１３１で読み取られた画像は、読取り処理部１１６でデータ処理がなされ、データ処理された画像データは、圧縮／伸張ＩＣ１１７において所定の方法によって圧縮され、ＤＲＡＭ制御ＩＣ１１１を介して圧縮メモリ１２１に格納される。
【００３２】
画像データを外部から取得する場合、例えば、端末６０などからＬＡＮ５０を通して送信される画像データは、ＬＡＮインターフェース１６５、ＬＡＮ制御部１６４を介してＤＲＡＭ制御ＩＣ１６１により画像メモリ１６２に格納される。画像メモリ１６２のデータは、ＤＲＡＭ制御ＩＣ１６１、ＰＣＩバス１０２、ＤＲＡＭ制御ＩＣ１１１を介してページメモリ１２２に一旦格納される。ページメモリ１２２に格納されたデータは、ＤＲＡＭ制御ＩＣ１１１を介して圧縮／伸張ＩＣ１１８に順次送られて圧縮処理され、ＤＲＡＭ制御ＩＣ１１１を介して圧縮メモリ１２１に格納される。
【００３３】
圧縮メモリ１２１に格納された画像データは、画像制御ＣＰＵ１１３によって予約ジョブとして管理することができる。また、画像制御ＣＰＵ１１３を含む設定手段では、予約ジョブの一部を必要に応じて保留ジョブに移行させて保留状態で管理することができ、保留ジョブをさらに予約ジョブに移行することもできる。
【００３４】
画像形成装置１で画像出力を行う場合、すなわち複写機やプリンタとして使用する場合、圧縮メモリ１２１に格納された画像データをＤＲＡＭ制御ＩＣ１１１を介して圧縮／伸張ＩＣ１１７に送出してデータを伸張し、伸張したデータを書込み処理部１１８に送出し、ＬＤ１５１において感光体への書き込みを行う。また、プリンタ部１５０では、画像制御部１１３の指令を受けてプリンタ制御部１５２によって各部の制御が行われ所定の転写紙（図示しない）への印刷が行われる。複数の予約ジョブがある場合、上記画像出力が順次行われる。
【００３５】
上記のように予約ジョブの管理は画像制御ＣＰＵ１１３によって行われており、該予約ＪＯＢの設定は、画像制御ＣＰＵ１１３によって制御される操作部１４０によって行うことができる。図２は、操作部１４０に予約ジョブ管理画面１４１を表示した状態を示している。
予約ジョブ管理画面１４１には、図２のように、予約ジョブ表示欄１４１ａに予約されたジョブの一覧が、実行される順番に並べられている。この予約ジョブ表示欄１４１ａの右側に予約ジョブの設定釦群が設けられており、該設定釦群の中には保留釦１４１ｂが設けられている。
【００３６】
予約ジョブ表示欄１４１ａに表示されたジョブの中から指定するジョブを保留する場合には、先ず、予約ジョブ表示欄１４１ａに表示されている保留したいジョブの表示画像位置にタッチしてジョブを指定し、次いで、右側に表示されている保留釦１４１ｂを押す。
以上の操作により、指定されたジョブは、予約ジョブを順次保存している予約ジョブリストから、保留ジョブを順次保存する保留ジョブリストに移され、操作部１４０には、図３に示すように保留ジョブ管理画面１４２が表示される。保留ジョブ管理画面１４２には、保留ジョブ表示欄１４２ａに保留されたジョブの一覧が並べられている。保留ジョブへの移行は、後述するセキュリティモードが設定されている状態においても許可される。
【００３７】
また、上記保留ジョブ表示欄１４２ａの右側に保留ジョブの設定釦群が設けられており、該設定釦群の中には保留解除釦１４２ｂや保留一括解除釦１４２ｃが設けられている。保留されたジョブを、再度、予約ジョブとして予約ジョブファイルに登録する場合には、保留ジョブ表示欄１４２ａに表示されている保留ジョブの表示画像位置にタッチしてジョブを指定し、次いで、右側に表示されている保留解除ボタン１４２ｂを押すことで保留ジョブから予約ジョブへと移行させることができる。また、表示されている保留ジョブを一括して予約ジョブに移行させる場合には、ジョブの選択を行うことなく保留一括解除釦１４２ｃを押釦することで全ての保留ジョブが予約ジョブに移行される。保留解除によって保留ジョブ表示欄１４２ａから予約ジョブに移行した当該ジョブの表示が消去される。なお、保留解除ボタン１４２ｂボタンを押した場合、予約ジョブへ移行させて直ちに印刷を開示するようにしてもよく、予約ジョブリストの下位や元の順位に位置付けるようにしてもよい。
【００３８】
また、セキュリティモードの設定変更を行う場合の制御の一例を図４のフローチャートに基づいて説明する。
先ず、設定メニュなどからセキュリティモードの変更設定が選択されると、図５に示すように操作部１４０にセキュリティモード設定画面１４３が表示され、設定変更の問い合わせがなされる（ステップＡ１）。該セキュリティモード設定画面１４３には、セキュリティモード設定のＯＮ釦１４３ａとＯＦＦ釦１４３ｂとが設定入力可能に表示されており、現在のモードを変更する釦の押下げが可能になっている。すなわち、セキュリティモードの状態では、これを解除して非セキュリティモードに移行するために、ＯＦＦ釦１４３ｂが押下げ可能になっており、非セキュリティモードの状態では、セキュリティモードに移行するために、ＯＮ釦１４３ａが押下げ可能になっている。設定変更を行う釦が押されないと（ステップＡ１、ＮＯ）、処理を終了する。一方、設定変更を行う釦（ＯＦＦ釦１４３ｂ）が押されると（ステップＡ１、ＹＥＳ）、保留ジョブがあるか否かの判定がなされる。
【００３９】
該判定では、保留ジョブフラグを用いて行われる。すなわち、保留ジョブが前記予約ジョブの移行により設定をされると、フラグをＨｉにし、保留ジョブが解除されるなどして保留ジョブがない場合には、保留ジョブフラグをＬｏｗに設定する。上記判定によって保留ジョブフラグがＬｏｗ（保留ジョブなし）とされる場合（ステップＡ２、Ｌｏｗ）、セキュリティ設定変更（非セキュリティモードへの移行）を許可して設定変更を実行する（ステップＡ５）。一方、前記判定で保留ジョブフラグがＨｉ（保留ジョブ有り）とされる場合（ステップＡ２、Ｈｉ）、操作部１４０に、図６に示すように警告画面１４４を表示して、操作者に保留ジョブがあることを通知する（ステップＡ３）。この際に、セキュリティモードの変更を禁止する制御を合わせて行っても良い。上記警告では、警告画面１４４に警告表示部１４４ａを設ける。また、警告画面では、追加の設定として継続するか否かの問い合わせを行い、「はい」釦１４４ｂと「いいえ」釦１４４ｃとを押下げ可能に表示する（ステップＡ４）。そして、この問い合わせに対し、継続を示す「はい」釦１４４ｂが操作者によって押釦されると（ステップＡ４、ＹＥＳ）、セキュリティモードの設定を強制変更、ここではセキュリティモードから非セキュリティモードへの移行を実行する（ステップＡ５）。この際に、保留ジョブを画像メモリから強制的に消去する制御を行うことも可能である。一方、継続問い合わせで、「いいえ」釦１４４ｃが押釦されると、セキュリティモードの設定変更を行うことなく処理を終了する。操作者は、保留ジョブの存在を認識したことにより、保留ジョブの消去するなどの必要な措置を採ることができる。
【００４０】
また、セキュリティモードの設定変更を行う場合の制御の他の例を図７のフローチャートに基づいて説明する。
設定メニュなどからセキュリティモードの設定変更が選択されると、前記のように操作部１４０にセキュリティモード設定画面１４３が表示され、設定変更の実行問い合わせがなされる（ステップＢ１）。設定変更を行う釦が押されないと（ステップＢ１、ＮＯ）、処理を終了する。一方、設定変更を行う釦が押されると（ステップＢ１、ＹＥＳ）、保留ジョブがあるか否かの判定がなされる。
【００４１】
該判定では、前記制御方法と同様に保留ジョブフラグを用いて行われる。該判定によって保留ジョブフラグがＬｏｗ（保留ジョブなし）とされる場合（ステップＢ２、Ｌｏｗ）、セキュリティ設定変更を許可して設定変更を実行する（ステップＢ７）。前記判定で保留ジョブフラグがＨｉ（保留ジョブ有り）とされる場合（ステップＢ２、Ｈｉ）、操作部１４０に、図８に示すように警告表示部１４５ａを有する警告画面１４５を表示して、操作者に保留ジョブがあることを通知する（ステップＢ３）。この際に、セキュリティモードの変更を禁止する制御を合わせて行う。上記警告では、警告画面１４５に警告表示部１４５ａを設けるとともに、保留ジョブの消去を要求して、消去実行を行う「はい」釦１４５ｂと消去実行を行わない「いいえ」釦１４５ｃとを押下げ可能に表示する（ステップＢ４）。そして、この要求に対し、消去実行を行う「はい」釦１４５ｂが押釦されると（ステップＢ５、ＹＥＳ）、保留ジョブの消去を実行し（ステップＢ６）、その後、セキュリティモードの設定変更を許可して、セキュリティモードから非セキュリティモードへの移行を実行する（ステップＢ７）。保留ジョブの消去実行は、画像制御ＣＰＵ１１３からの指令によりＤＲＡＭ制御ＩＣ１１１によって画像メモリ１２０内の保留ジョブを上書きして消去する。
保留ジョブの消去の実行をしない「いいえ」釦１４５ｃが押釦されると、セキュリティモードの設定変更を禁止したまま処理を終了する。これにより保留ジョブが存在したままでセキュリティモードが変更されるのを防止することができる。
【００４２】
以上、本発明について上記実施形態に基づいて説明を行ったが、本発明は、上記実施形態の説明内容に限定されるものではなく、本発明の範囲を逸脱しない範囲で当然に変更が可能である。
【図面の簡単な説明】
【００４３】
【図１】本発明の一実施形態の画像形成装置を示すブロック図である。
【図２】同じく、操作部の予約ジョブ管理画面を示す図である。
【図３】同じく、操作部の保留ジョブ管理画面を示す図である。
【図４】同じく、セキュリティモードの変更手順を示すフローチャートである。
【図５】同じく、操作部のセキュリティモードの変更設定画面を示す図である。
【図６】同じく、操作部のセキュリティモードの変更設定時の警告画面を示す図である。
【図７】本発明の他の実施形態におけるセキュリティモードの変更手順を示すフローチャートである。
【図８】同じく、操作部のセキュリティモードの変更設定時の警告画面を示す図である。
【図９】従来のセキュリティモードの変更手順を示すフローチャートである。
【符号の説明】
【００４４】
１    画像形成装置
１１０    制御部
１１３    画像制御ＣＰＵ
１２０    画像メモリ
１３０    スキャナ部
１４０    操作部
１４１    予約ジョブ管理画面
１４２    保留ジョブ管理画面
１４３    セキュリティモード設定画面
１４４    警告画面
１４５    警告画面
１５０    プリンタ部
【図１】
2008294572.tif 000003
【図２】
2008294572.tif 000004
【図３】
2008294572.tif 000005
【図４】
2008294572.tif 000006
【図５】
2008294572.tif 000007
【図６】
2008294572.tif 000008
【図７】
2008294572.tif 000009
【図８】
2008294572.tif 000010
【図９】
2008294572.tif 000011